(57)【特許請求の範囲】
【請求項１】
２枚のメモリカードが着脱自在に挿抜されるカードコネクタであって、２枚のメモリカードの接続部と接触する２種類のコンタクトと、２枚のメモリカードが挿入される２つの挿入口を有するとともに前記コンタクトが配列・保持されるハウジングとを備えるカードコネクタにおいて、
少なくとも、前記ハウジングへの保持部と、該保持部に連設し前記メモリカードと平行な略平板形状の弾性を有する弾性部と、該弾性部の先端に前記弾性部の板厚方向に突出し、かつ、板幅方向に位置をずらした上側突出部及び下側突出部と、を有する挿入防止部材を備え、
前記ハウジングには上下に略並行に配置された２つの挿入口を設け、該挿入口間で、かつ、２種類の前記コンタクトと接触しない位置に前記挿入防止部材を配置し、前記挿入防止部材の弾性部が変位可能な挿入溝を設け、
どちらか一方のメモリカードが一方の挿入口内に挿入されると、前記メモリカードにより一方側の突出部が押圧されることで前記弾性部が変位し、もう一方の突出部がもう一方の挿入口内に突出することで１枚のメモリカードしか挿入できないようにすることを特徴とするカードコネクタ。
【発明の詳細な説明】
【技術分野】
【０００１】
この発明は、プリンター、カードリーダーなどの各種電子・電気機器に使用される、複数種のメモリカードを挿入してメモリカードと信号入出力可能なカードコネクタに関するもので、特に１枚のメモリーカードしか同時に挿入できない構造に関するものである。
【背景技術】
【０００２】
近年、デジタルカメラ等の普及に伴って記憶容量が大きく且つコンパクトな形状からなるメモリカードが用いられるようになった。メモリカードも、メモリカードを利用する機器の特性等によって、例えばＳＤ（Secure Digital memory card、登録商標）カード（以下単にＳＤカードという。）、メモリースティック（登録商標）カード（以下単にＭＳカードという。）、スマートメディア（登録商標）カード（以下単にＳＭカードという。）、コンパクトフラッシュ（登録商標）カード（以下単にＣＦカードという。）、ｘＤカード（登録商標）（以下単にｘＤカードという。）、マルチメディア（登録商標）カード（以下単にＭＭカード）等種々のものが用いられるようになった。これに伴い、これら種々のメモリカードへ書込み／読込みを行う装置として、メモリカードリーダライタが、コンピュータ本体内に、或は、外部機器として用いられている。
【０００３】
そして、メモリカードリーダライタは、当然のことながら、種々のメモリカードに対応しているのが好ましいので、従来のメモリカードリーダライタにおいては、リーダライタ本体にカードコネクタを配置し、種々のメモリカードを挿入可能とし、挿入されたメモリカードを読み書き可能にしていた。
【０００４】
上述したようにメモリカードには、ＳＤカード、ＭＳカード、ＳＭカード、ＣＦカード、ｘＤカード、ＭＭカード等種々が存在する。そして、メモリカードリーダライタは、これらメモリカードの全て或はこれらの幾つかに対応可能であった。具体的には、カードコネクタには、対応するメモリカードを挿入可能な挿入口が設けられている。ここでは、ＳＤカードとｘＤカードとＭＳカードの３種に対応したものを例に説明する。
【０００５】
例えば、ＳＤカードとｘＤカードとＭＳカードの３種に対応したカードコネクタには、各メモリカードが挿入された状態で、各挿入されたメモリカードの端子部と接続可能に、ハウジング内に複数のコンタクトが配列・保持されている。そして、メモリカードを挿入することで、メモリカードと読み書き可能に形成される。カードコネクタの挿入可能な挿入口としては、上の段の挿入口にはＳＤカードが挿入され、下の段の左側の挿入口にはＭＳカードが挿入され、上の段の右側の挿入口にはｘＤカードが挿入される構造に、各挿入口が設けられている。
【０００６】
このような構造のカードコネクタは、所望するメモリカード、例えばＣＦカードをＣＦ用挿入口に挿入してＣＦカードと情報の読み書きを行っている。
複数のメモリカードが挿入されるカードコネクタにおいては、各々のメモリカードをコントロールするＩＣを共有にしているが、同時に２枚以上のメモリカードが挿入されるとＩＣ上でエラーが発生することがあった。このエラーを回避する方法としては２つ考えられ、一つが各々のメモリカードをコントロールするＩＣを各カード専用にすることと、もう一つが同時に２枚以上のメモリカードが挿入できないようなコネクタ構造することの２つである。一つ目の案は、機器の小型化が進んでいる現在の過密な基板レイアウトや基板占有面積等を考慮すると、実現化が非常に難しく、かつ、コストアップに繋がってしまう。
そこで、２つ目の案として、複数のカード挿入口を有するカードコネクタであっても、１枚が挿入されると、他のカードの挿入を防止できる構造のカードコネクタとしては、特許文献１（特開２００３−２９７４８９）や本出願人が提案した特許文献２（特開２００５−３４０１４１（特願２００４−１６１２９３））と特許文献３（特願２００４−３０７７９４）が開示されている。
【特許文献１】特開２００３−２９７４８９の要約によると、挿入可能な複数種のメモリカードのうち、１枚が挿入されることで、他のメモリカードの挿入を阻止できるメモリカード用コネクタの提供を目的として、複数のメモリカードを挿入可能なメモリカード用コネクタであって、挿入されるメモリカードに対応した形状に開口する挿入口を複数設けると共に挿入口内部には空間部を形成し、空間部には挿入されるメモリカードの電極と電気的に接続するコンタクトを設けるコネクタ本体と、挿入口外側に設けられ、挿入されるメモリカードに対応した形状に挿入口と対を成して開口すると共に挿入口相互の相対位置とはずらして開口するカード挿入口を設け、挿入口開口面に沿って移動可能なスライドカバーとから構成する、メモリカード用コネクタが開示されている。従って、空間部及びカード挿入口の一対の中心が一致したときには、他の空間部とこれに対向するカード挿入口との対の中心は一致しない構造のメモリカード用コネクタである。  ちなみに、特許請求の範囲には、複数のメモリカードが挿入可能なメモリカード用コネクタであって、筐体からなり、挿入されるメモリカードに対応した形状に開口する挿入口を複数設けると共に挿入口内部には空間部を形成し、空間部には挿入されるメモリカードの電極と電気的に接続するコンタクトを設け、挿入されるメモリカードと電気的に接続されるコネクタ本体と、コネクタ本体の挿入口外側に設けられ、挿入されるメモリカードに対応した形状にコネクタ本体の挿入口と対を成して開口するカード挿入口を設け、コネクタ本体の挿入口開口面に沿って移動可能なスライドカバーとからなり、一対のコネクタ本体の空間部とスライドカバーのカード挿入口との中心が一致したときに、他の対の空間部及び対向するカード挿入口の中心が一致しないことを特徴とするメモリカード用コネクタと記載されている。
【特許文献２】特願２００４−１６１２９３の要約によると、１枚のカードが挿入されると他のカードの挿入を防止できるとともに、小型化もでき、基板の回路設計上も制限なく、高密度化にも支障がなく、筐体設計もし易く、カードの抜去もし易いカードコネクタを提供することを目的とし、複数のメモリカードの接続部と接触する所要数のコンタクトと、複数のメモリカードが挿入される複数の挿入口を有するとともにコンタクトが配列・保持されるハウジングとを備えるカードコネクタにおいて、ハウジングの所定の位置に、１種のメモリカードが挿入された際に回動若しくは移動可能な少なくとも１個以上のロック部材及び１種のメモリカードが挿入された際に変位可能な少なくとも１個以上のバネ部材とを設け、ロック部材とバネ部材により１種のメモリカードしか挿入できないようにする構造のカードコネクタである。  ちなみに、特許請求の範囲には、請求項１として、複数のメモリカードが着脱自在に挿抜されるカードコネクタであって、複数のメモリカードの接続部と接触する所要数のコンタクトと、複数のメモリカードが挿入される複数の挿入口を有するとともに前記コンタクトが配列・保持されるハウジングとを備えるカードコネクタにおいて、前記ハウジングの所定の位置に、１種のメモリカードが挿入された際に回動若しくは移動可能な少なくとも１個以上のロック部材及び１種のメモリカードが挿入された際に変位可能な少なくとも１個以上のバネ部材とを設け、前記ロック部材と前記バネ部材により１種のメモリカードしか挿入できないようにしたことを特徴とするカードコネクタ、請求項２として、複数のメモリカードが着脱自在に挿抜されるカードコネクタであって、複数のメモリカードの接続部と接触する所要数のコンタクトと、複数のメモリカードが挿入される複数の挿入口を有するとともに前記コンタクトが配列・保持されるハウジングとを備えるカードコネクタにおいて、前記ハウジングには略並行に配置された２つの挿入口及び該挿入口の上方に１つの挿入口とを設け、２つの前記挿入口の中間部分にどちらか一方の挿入口にメモリカードが挿入された際に回動若しくは移動可能なロック部材を設け、上方の１つの前記挿入口の下方側に該挿入口にメモリカードが挿入された際に変位可能なバネ部材を設け、前記ロック部材と前記バネ部材により１種のメモリカードしか挿入できないようにしたことを特徴とするカードコネクタ、請求項３として、１種のメモリカードが前記ハウジングの挿入口に挿入された際に、前記ロック部材が回動若しくは移動し、挿入された挿入口と並行に配置された挿入口内に前記ロック部材が突出し、前記ロック部材により前記バネ部材が変位しないようにし、１種のメモリカードしか挿入できないようにしたことを特徴とする請求項１又は２記載のカードコネクタ、請求項４として、１種のメモリカードが前記ハウジングの挿入口に挿入された際に、前記バネ部材が変位し、変位した前記バネ部材の一部が他の挿入口内に突出し、１種のメモリカードしか挿入できないようにしたことを特徴とする請求項１又は２記載のカードコネクタ、請求項５として、前記挿入口のうち必要に応じて、他の挿入口と共通部分を有したことを特徴とする請求項１〜４項の���ちいずれか１項記載のカードコネクタが記載されている。
【特許文献３】特願２００４−３０７７９４の要約によると、簡単な構造で、１枚のカードが挿入されると他のカードの挿入を防止できるとともに、小型化もでき、基板の回路設計上も制限なく、高密度化にも支障がなく、筐体設計もし易く、カードの抜去もし易いカードコネクタ１０を提供することを目的とし、複数のメモリカード５０が着脱自在に挿抜されるカードコネクタ１０であって、複数のメモリカード５０の接続部と接触する複数のコンタクト１４と、複数のメモリカード５０が挿入される複数の挿入口２２を有するとともにコンタクト１４が配列・保持されるハウジング１２とを備えるカードコネクタ１０において、ハウジング１２の所定の位置に、複数の挿入口２２の一部を形成する所要数のスライダー２０とスライダー２０を移動可能に固定する所要数のホルダー１８とを配置し、スライダー２０により１種のメモリカード５０しか挿入できないようにする構造のカードコネクタが開示されている。  ちなみに、特願２００４−３０７７９４の特許請求の範囲には、請求項１として、複数のメモリカードが着脱自在に挿抜されるカードコネクタであって、複数のメモリカードの接続部と接触する複数のコンタクトと、複数のメモリカードが挿入される複数の挿入口を有するとともに前記コンタクトが配列・保持されるハウジングとを備えるカードコネクタにおいて、前記ハウジングの所定の位置に、複数の前記挿入口の一部を形成する所要数のスライダーと該スライダーを移動可能に固定する所要数のホルダーとを配置し、前記スライダーにより１種のメモリカードしか挿入できないようにすることを特徴とするカードコネクタ、請求項２として、複数のメモリカードが着脱自在に挿抜されるカードコネクタであって、複数のメモリカードの接続部と接触する複数のコンタクトと、複数のメモリカードが挿入される複数の挿入口を有するとともに前記コンタクトが配列・保持されるハウジングとを備えるカードコネクタにおいて、前記ハウジングには上下及び左右に略並行に配置された４つの挿入口及び左右に配置された前記挿入口の中間下方に１つの挿入口とを設け、前記ハウジングの左右の前記挿入口のほぼ中間部に、５枚の前記挿入口の一部を形成する所要数のスライダーと該スライダーを移動可能に固定する１つのホルダーとを配置し、前記スライダーにより１種のメモリカードしか挿入できないようにすることを特徴とするカードコネクタ、請求項３として、凹部と凸部との組み合わせにより前記挿入口の一部を形成することを特徴とする請求項１又は２記載のカードコネクタ、請求項４として、４つの凹部により上下及び左右に配置された４つの前記挿入口の一部を形成し、１つの凸部により中間下方の前記挿入口の一部を形成することを特徴とする請求項２記載のカードコネクタ、請求項５として、前記スライダーに前記ホルダーが入る挿入孔を設け、前記ホルダーの先端部を交互に分割し、前記スライダーを移動可能に固定することを特徴とする請求項３又は４記載のカードコネクタ、請求項６として、前記スライダーに前記ホルダーが入る縦長の挿入孔を設け、前記ホルダーの先端部を交互に３分割し、前記スライダーを縦長（厚み）方向に移動可能に固定することを特徴とする請求項４記載の���ードコネクタ、請求項７として、前記スライダーが移動することで、１つの前記挿入口にしか前記メモリカードが入らないように、前記凹部と前記凸部の組み合わせで前記挿入口の一部を形成することを特徴とする請求項１〜６項のうちいずれか１項記載のカードコネクタ等が開示されている。
【発明の開示】
【発明が解決しようとする課題】
【０００７】
特許文献１の構造のカードコネクタでは、ハウジングの表面に別部品であるスライドカバーを取り付け、該スライドカバーを横方向にスライドさせ、前記ハウジングの１種のカード挿入口と前記スライドカバーの１種のカード挿入口との中心だけを一致させ、他の対のカード挿入口同士の中心は一致しない構造にすることで、２枚以上のメモリカードが挿入できない様にしている。
近年、より一層の機器の小型化の要求が強くなってきている中、コネクタの小型化の要求も強くなってきている現状で、特許文献１の構造ではスライドカバーを嵌合口の前面に配置しているので、コネクタの小型化にも逆行することになり、かつ、基板の回路設計上も制限（コネクタの基板への接続部を嵌合側に配置できない）することになり、複数のメモリカードを装着する場合の高密度化にも支障がでるといった問題点が発生した。
また、単に、２枚のメモリカードしか挿入しないカードコネクタの場合に、上述した特許文献２や特許文献３のような構造のもので、１枚しかメモリカードが挿入できないようにするには構造が複雑すぎる。
【０００８】
本発明は、このような従来の問題点に鑑みてなされたもので、簡単な構造で、１枚のカードが挿入されると他のカードの挿入を防止できるとともに、小型化もでき、基板の回路設計上も制限なく、高密度化にも支障がなく、筐体設計もし易く、カードの抜去もし易いカードコネクタを提供せんとするものである。
【課題を解決するための手段】
【０００９】
本目的は、２枚のメモリカード５０が着脱自在に挿抜されるカードコネクタ１０であって、２枚のメモリカード５０の接続部と接触する２種類のコンタクト１４、１６と、２枚のメモリカード５０が挿入される２つの挿入口２２を有するとともに前記コンタクト１４、１６が配列・保持されるハウジング１２とを備えるカードコネクタ１０において、少なくとも、前記ハウジングへの保持部２８と、該保持部２８に連設し前記メモリカード５０と平行な略平板形状の弾性を有する弾性部３２と、該弾性部３２の先端に前記弾性部３２の板厚方向に突出し、かつ、板幅方向に位置をずらした上側突出部３０１及び下側突出部３０２と、を有する挿入防止部材２０を備え、前記ハウジング１２には上下に略並行に配置された２つの挿入口２２を設け、該挿入口２２間で、かつ、２種類の前記コンタクト１４、１６と接触しない位置に前記挿入防止部材２０を配置し、前記挿入防止部材２０の弾性部３２が変位可能な挿入溝２６を設け、どちらか一方のメモリカード５０が一方の挿入口内に挿入されると、前記メモリカード５０により一方側の突出部３０が押圧されることで前記弾性部３２が変位し、もう一方の突出部３０がもう一方の挿入口２２内に突出することで１枚のメモリカード５０しか挿入できないようにすることにより達成できる。
【発明の効果】
【００１１】
以上の説明から明らかなように、本発明のカードコネクタ１０によると、次のような優れた顕著な効果が得られる。
（１）２枚のメモリカード５０が着脱自在に挿抜されるカードコネクタ１０であって、２枚のメモリカード５０の接続部と接触する２種類のコンタクト１４、１６と、２枚のメモリカード５０が挿入される２つの挿入口２２を有するとともに前記コンタクト１４、１６が配列・保持されるハウジング１２とを備えるカードコネクタ１０において、前記ハウジング１２には上下に略並行に配置された２つの挿入口２２を設け、該挿入口２２間で、かつ、２種類の前記コンタクト１４、１６と接触しない位置に挿入防止部材２０を配置し、どちらか一方のメモリカード５０が挿入されると前記挿入防止部材２０によりもう一方のメモリカードを挿入できないようにしているので、簡単な構造で、当然ながら１枚しかメモリカード５０を挿入できないためメモリカード５０をコントロールするＩＣにエラーが発生することなく、基板の回路設計上も制限なく設計できると同時に高密度化にも支障がなく、かつ、筐体設計もし易く、カード５０の抜去もし易いカードコネクタ１０を提供できる。
（２）前記挿入防止部材２０には、少なくとも前記ハウジング１２への保持部２８と該保持部２８に連設した弾性を有する弾性部３２と該弾性部３２の先端に２つの上側突出部３０１及び下側突出部３０２とを設け、前記ハウジング１２には前記挿入防止部材２０の弾性部３２が変位可能な挿入溝２６を設けているので、簡単な構造で、２枚のメモリカードのうち１枚しか挿入出来ないようにすることができる。
（３）どちらか一方のメモリカード５０が一方の挿入口２２内に挿入されると該メモリーカード５０により一方側の突出部３０が押圧されることで前記弾性部３２が変位し、もう一方の突出部３０がもう一方の挿入口２２内に突出することで１枚のメモリカード５０しか挿入できないようにしているので、簡単な構造で、当然ながら１枚しかメモリカードを挿入できないためメモリカードをコントロールするＩＣにエラーが発生することなく、基板の回路設計上も制限なく設計できると同時に高密度化にも支障がなく、かつ、筐体設計もし易く、カードの抜去もし易いカードコネクタを提供できる。
【発明を実施するための最良の形態】
【００１２】
図１から図４に基づいて、本発明のカードコネクタの一実施例について説明する。図１（Ａ）はカードコネクタの斜視図であり、（Ｂ）は挿入防止部材の斜視図である。図２（Ａ）は挿入防止部材の部分で断面した断面図であり、（Ｂ）は上側にカードが挿入された状態の挿入防止部材の部分で断面した断面図であり、（Ｃ）は下側にカードが挿入された状態の挿入防止部材の部分で断面した断面図である。図３（Ａ）は挿入口方向からみた正面図であり、（Ｂ）は（Ａ）の底面図である。図４（Ａ）は上側にカードが挿入された状態のカードコネクタの斜視図であり、（Ｂ）は下側にカードが挿入された状態のカードコネクタの斜視図である。
一実施例の本発明のカードコネクタ１０は、主にハウジング１２と２種類のコンタクト１４、１６と固定具１８と挿入防止部材２０とを備えている。
【００１３】
構成部品を説明する前に、カード５０について説明する。前記カード５０はプリンターやカードリーダ等に使用されるものであって、前記カード５０には主にコンタクト１４、１６の接触部１４１、１６１と接触する接触部と該接触部から回路へ繋がるパターンと該パターン上に搭載されたＩＣやＣＰＵと接続する接続部とを備えている。本発明のカードコネクタ１０に使用されるカード５０としては、マルチメディアカード（登録商標）、ＳＤカード（Secure  Digital  memory  card、登録商標）、Mini−ＳＤカード（Mini  Secure  Digital  memory  card、登録商標）、メモリースティック（登録商標）、スマートメディア（登録商標）、コンパクトフラッシュ（登録商標）、ｘDカード（登録商標）、RS−MMCカード（Reduce Size MMC card、登録商標）、Transflashカード（登録商標）、Sカード（S card、登録商標）、Memory-Stick  Duo（登録商標）などのように、ＣＰＵあるいはメモリー用のＩＣが内臓されたＩＣカードが挙げられる。
本実施例のカードコネクタ１０には、上側にMini−ＳＤカード（Mini  Secure  Digital  memory  card、登録商標）５０１と下側にＳＤカード（Secure  Digital  memory  card、登録商標）５０２が挿入できる構造になっている。
【００１４】
まず、本発明のポイントである挿入防止部材２０について説明する。この挿入防止部材２０は本実施例では金属製であり、公知技術のプレス加工によって製作されている。前記挿入防止部材２０の材質としては、寸法安定性や成型性やバネ性などが要求されるので、黄銅やベリリウム銅やリン青銅等を挙げることができる。また、下述するような役割を満足できれば、電気絶縁性のプラスチックであってもよく、その場合の材質はハウジング１２と同一のものを挙げることができる。
【００１５】
前記挿入防止部材２０の役割は、どちらか一方のメモリカード５０が一方の挿入口２２内に挿入されると該メモリーカード５０により一方側の突出部３０が押圧されることで前記弾性部３２が変位し、もう一方の突出部３０がもう一方の挿入口２２内に突出することで１枚のメモリカード５０しか挿入できないようにするものである。前記挿入防止部材２０には、少なくとも前記ハウジング１２への保持部２８と該保持部２８に連設した弾性を有する弾性部３２と該弾性部３２の先端に２つの上側突出部３０１及び下側突出部３０２とが設けられている。
【００１６】
前記保持部２８及び弾性部３２は板状であり、前記保持部２８及び弾性部３２は連結されることで略Ｌ字状に配置され、前記弾性部３２の先端には略垂直に折り曲げられた突出部３０が上下に突出し、前記ハウジング１２の挿入口２２に突出するように設けられている。上下に設けられた上側突出部３０１及び下側突出部３０２形状及び大きさは、前記挿入防止部材２０の役割や前記ハウジング１２の挿入口２２内へ突出することや前記メモリカード５０の損傷や強度や加工性等を考慮して適宜設計する。本実施例では先端を湾曲させたＲ形状にしている。
前記弾性部３２は、どちらか一方のメモリカード５０が挿入された際に、該メモリカード５０によって一方の前記突出部３０が押圧され、変位すればよい。例えば、前記ハウジング１２の上側挿入口２２１にメモリカード５０１が挿入されると該メモリカード５０１によって前記上側突出部３０１が押圧され、下側方向に変位し、下側突出部３０２が下側挿入口２２２内に突出するようになる。前記弾性部の形状及び大きさは、このような役割やバネ性や変位量や前記ハウジング１２の強度等を考慮して適宜設計する。
前記保持部２８は、前記ハウジング１２に前記挿入防止部材２０が保持でき、上述したような役割を満足できれば、如何なる形状・大きさでもよい。
【００１７】
まず、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１８】
前記ハウジング１２には２種類のメモリカード５０１、５０２を挿入するための２つの挿入口２２１、２２２が設けられており、本実施例では２枚のメモリカード５０１、５０２が挿入できる構造になっている。該挿入口２２１、２２２は、それぞれのメモリカード５０１、５０２に沿った形状及び大きさにしている。前記挿入口２２１、２２２は上下に略並行に配置され、上側挿入口２２１にはＭｉｎｉ  ＳＤカード（登録商標）５０１が入り、下側挿入口２２２にはＳＤカード（登録商標）５０２が入る。
また、前記ハウジング１２には挿入される２つのカード５０１、５０２に対応する２種類のコンタクト１４、１６が装着される挿入孔２４が設けられており、圧入や引っ掛け（ランス）や溶着等によって固定されている。
【００１９】
前記ハウジング１２には、前記挿入防止部材２０が挿入される挿入溝２６が前記挿入口２２側に設けられている。前記挿入溝２６の位置は、上下に配置された前記上側挿入口２２１と前記下側挿入口２２２との間で、かつ、２種類の前記コンタクト１４、１６と接触しない位置で、前記メモリカード５０の接触部に傷をつけないように設けられている。
前記挿入溝２６は、主に前記挿入防止部材２０の保持部２８が入る部分と前記弾性部３２が変位可能に入る部分とからなっている。前記保持部２８が入る部分は前記保持部２８が入り、前記挿入防止部材２０が保持できればよい。前記弾性部３２が入る部分は、どちらか一方のメモリカード５０が挿入された際に、該メモリカード５０によって一方の前記突出部３０が押圧され、変位すればよい。つまり、一方の突出部３０がカード５０によって押圧されることによって、もう一方の突出部３０がカード５０が挿入されていない側の挿入口２２内に、前記弾性部３２が変位し、突出すればよい。前記挿入溝２６は、このような役割や前記ハウジング１２の強度等を考慮して適宜設計する。
【００２０】
次に、２種類のコンタクト１４、１６について説明する。この２種類のコンタクト１４、１６は金属製であり、公知技術のプレス加工によって製作されている。前記コンタクト１４、１６の材質としては、バネ性や導電性などが要求されるので、黄銅やベリリウム銅やリン青銅等を挙げることができる。
【００２１】
２種類のコンタクト１４、１６は、主に、メモリカード５０の接続部に接触する接触部１４１、１６１と前記ハウジング１２に固定される固定部１４２、１６２と基板に接続される接続部１４３、１６３とを備えている。つまり、２種類の前記コンタクトは、上側挿入口２２１内に接触部１４１が突出するものがＭｉｎｉＳＤカード用コンタクト１４であり、下側挿入口２２２内に接触部１６１が突出するものがＳＤカード用コンタクト１６である。２種類のコンタクト１４、１６の接続部１４３、１６３は、基板の回路設計や占有面積やコネクタ１０の大きさ及び設計を考慮して適宜設計している。本実施例では、２種類のコンタクト１４、１６の接続部１４３、１６３は前記挿入口２２の反対側に突出するように設けられ、図２のように表面実装（ＳＭＴ）タイプになっている。
また、２種類のコンタクト１４、１６の接触部１４１、１６１は、各々の挿入口２２１、２２２内に突出し、挿入されたメモリカード５０を接触できるような構造になっている。前記接触部の位置は挿入されるメモリカード５０の接続部の位置を考慮して適宜設計され、突出量はメモリカード５０との接触圧を考慮して適宜設計している。
【００２２】
次に、前記固定具１８について説明する。この固定具１８は金属製であり、公知技術のプレス加工によって製作されている。前記固定具１８の材質としては、加工性や半田付け性などが要求されるので、黄銅やベリリウム銅やリン青銅等を挙げることができる。
前記固定具１８は断面略Ｌ字形状をしており、前記カードコネクタ１０を基板に確実に固定するためのものである。
【００２３】
最後に、前記挿入防止部材２０の作用について説明する。上側にカード５０１が挿入された場合を例に説明する。
最初に、メモリカード５０１が前記ハウジング１２の上側挿入口２２１内に挿入されると、前記メモリカード５０１と前記挿入防止部材２０の上側突出部３０１と接触する。
更に、前記メモリカード５０を挿入すると、前記上側突出部３０１が押圧され、前記弾性部３２が下側方向に変位する。
変位すると、前記挿入防止部材２０の下側突出部３０２が下側挿入口２２２内（つまり、カード５０１が挿入されていない側）に突出することになる。
前記下側突出部３０２が前記下側挿入口２２２内に突出すると、仮に下側挿入口２２２に対応するメモリカード５０２を挿入しても、前記メモリカード５０２が前記下側突出部３０２にあたり挿入できない。
【００２４】
なお、必要に応じて、図３（Ｂ）のように、カード５０の挿抜を確認するためのスイッチ構造を設けることもある。即ち、複数の端子を用いて、前記端子のＯＮ−ＯＦＦによってカードが挿入されたかを認識できるようになっている。
【００２５】
本実施例においては、上側にMini−ＳＤカード（Mini  Secure  Digital  memory  card、登録商標）５０１と下側にＳＤカード（Secure  Digital  memory  card、登録商標）５０２が挿入できる構造のカードコネクタ１０を説明した。言うまでもなく、その他のカードについても同様の構造を取ることが可能である。
【産業上の利用可能性】
【００２６】
本発明の活用例としては、、プリンター、カードリーダーなどの各種電子・電気機器に使用されるカードコネクタに活用され、特に１枚のメモリカードしか同時に挿入できない構造に関するものである。
【図面の簡単な説明】
【００２７】
【図１】（Ａ）  カードコネクタの斜視図である。（Ｂ）  挿入防止部材の斜視図である
【図２】（Ａ）  挿入防止部材の部分で断面した断面図である。（Ｂ）  上側にカードが挿入された状態の挿入防止部材の部分で断面した断面図である。（Ｃ）  下側にカードが挿入された状態の挿入防止部材の部分で断面した断面図である。
【図３】（Ａ）  挿入口方向からみた正面図である。（Ｂ）  （Ａ）の底面図である。
【図４】（Ａ）  上側にカードが挿入された状態のカードコネクタの斜視図である。（Ｂ）  下側にカードが挿入された状態のカードコネクタの斜視図である。
【符号の説明】
【００２８】
１０            カードコネクタ
１２            ハウジング
１４            上側コンタクト（Ｍｉｎｉ  ＳＤカード用）
１６            下側コンタクト（ＳＤカード用）
１４１、１６１  接触部
１４２、１６２  固定部
１４３、１６３  接続部
１８            固定具
２０            挿入防止部材
２２            挿入口
２２１          Ｍｉｎｉ  ＳＤカード用挿入口
２２２          ＳＤカード用挿入口
２４            コンタクト挿入孔
２６            挿入溝
２８            保持部
３０            突出部
３０１          上側突出部
３０２          下側突出部
３２            弾性部
５０            メモリカード
５０１          Ｍｉｎｉ  ＳＤカード
５０２          ＳＤカード
【図１】
0004820668.tif 000002
【図２】
0004820668.tif 000003
【図３】
0004820668.tif 000004
【図４】
0004820668.tif 000005